【手続補正書】
【提出日】平成20年8月4日(2008.8.4)
【手続補正１】
【補正対象書類名】特許請求の範囲
【補正対象項目名】全文
【補正方法】変更
【補正の内容】
【特許請求の範囲】
【請求項１】
哺乳動物の組織または細胞試料のＡｐｏ２Ｌ／ＴＲＡＩＬへの感受性を予測する方法であって、
哺乳動物組織または細胞試料を採取し、
該組織または細胞試料を検査して、フコシルトランスフェラーゼ３、フコシルトランスフェラーゼ６、シアリルルイスＡおよび／またはＸ抗原(一ないし複数)からなる群から選択される一ないし複数のバイオマーカーの発現を検出し、該組織または細胞試料がＡｐｏ２Ｌ／ＴＲＡＩＬのアポトーシス誘導活性に感受性があることが該一ないし複数のバイオマーカーの発現により予測される工程を含む方法。
【請求項２】
前記一ないし複数のバイオマーカーの発現がフコシルトランスフェラーゼ３またはフコシルトランスフェラーゼ６のｍＲＮＡ発現を検出することによって検査されるものである、請求項１に記載の方法。
【請求項３】
前記一ないし複数のバイオマーカーの発現がシアリルルイスＡおよび／またはＸ抗原(一ないし複数)の発現を検出するための免疫組織化学的な方法によって検査されるものである、請求項１に記載の方法。
【請求項４】
さらに、前記組織または細胞試料中のＤＲ４、ＤＲ５、ＤｃＲ１またはＤｃＲ２レセプターの発現を検査する工程を含む、請求項１に記載の方法。
【請求項５】
前記組織または細胞試料に癌組織または癌細胞が含まれる、請求項１に記載の方法。
【請求項６】
前記癌細胞が、大腸、結腸直腸、消化管または膵臓の癌細胞または組織である、請求項５に記載の方法。
【請求項７】
前記癌細胞が大腸または結腸直腸の癌細胞である、請求項６に記載の方法。
【請求項８】
前記Ａｐｏ２Ｌ／ＴＲＡＩＬが、図１(配列番号：１)のアミノ酸４１−２８１ないしはその生物学的に活性な断片を含有してなるポリペプチドである、請求項１に記載の方法。
【請求項９】
前記Ａｐｏ２Ｌ／ＴＲＡＩＬが図１(配列番号：１)のアミノ酸１１４−２８１を含有してなるポリペプチドである、請求項８に記載の方法。
【請求項１０】
哺乳動物組織または細胞試料のアポトーシスを誘導する方法であって、
哺乳動物組織または細胞試料を採取し、
フコシルトランスフェラーゼ３、フコシルトランスフェラーゼ６、シアリルルイスＡおよび／またはＸ抗原(一ないし複数)からなる群から選択される一ないし複数のバイオマーカーの発現を検出するために、該組織または細胞試料を検査し、
その後、該一ないし複数のバイオマーカーの発現を検出し、
有効量のＡｐｏ２Ｌ／ＴＲＡＩＬに該組織または細胞試料を曝す工程を含む方法。
【請求項１１】
前記一ないし複数のバイオマーカーの発現がフコシルトランスフェラーゼ３またはフコシルトランスフェラーゼ６のｍＲＮＡ発現を検出することによって検査されるものである、請求項１０に記載の方法。
【請求項１２】
前記一ないし複数のバイオマーカーの発現がシアリルルイスＡおよび／またはＸ抗原(一ないし複数)の発現を検出するための免疫組織化学的な方法によって検査されるものである、請求項１０に記載の方法。
【請求項１３】
さらに、前記組織または細胞試料中のＤＲ４、ＤＲ５、ＤｃＲ１またはＤｃＲ２レセプターの発現を検査する工程を含む、請求項１０に記載の方法。
【請求項１４】
前記組織または細胞試料に癌組織または癌細胞が含まれる、請求項１０に記載の方法。
【請求項１５】
前記癌細胞が、大腸、結腸直腸、消化管または膵臓の癌細胞または組織である、請求項１４に記載の方法。
【請求項１６】
前記癌細胞が大腸または結腸直腸の癌細胞である、請求項１５に記載の方法。
【請求項１７】
前記細胞が、図１(配列番号：１)のアミノ酸１１４−２８１を含有するＡｐｏ２Ｌ／ＴＲＡＩＬポリペプチドの有効量に曝される、請求項１０に記載の方法。
【請求項１８】
前記Ａｐｏ２Ｌ／ＴＲＡＩＬポリペプチドがポリエチレングリコール分子に結合している、請求項１０に記載の方法。
【請求項１９】
哺乳動物の組織または細胞試料がフコシルトランスフェラーゼ３、フコシルトランスフェラーゼ６、シアリルルイスＡおよび／またはＸ抗原(一ないし複数)からなる群から選択される一ないし複数のバイオマーカーを発現する場合に、哺乳動物の免疫関連疾患または癌などの疾患を治療するための医薬であって、有効量のＡｐｏ２Ｌ／ＴＲＡＩＬを含有してなる医薬。
【請求項２０】
前記一ないし複数のバイオマーカーの発現がフコシルトランスフェラーゼ３またはフコシルトランスフェラーゼ６のｍＲＮＡ発現を検出することによって検査されるものである、請求項１９に記載の医薬。
【請求項２１】
前記一ないし複数のバイオマーカーの発現がシアリルルイスＡおよび／またはＸ抗原(一ないし複数)の発現を検出するための免疫組織化学的な方法によって検査されるものである、請求項１９に記載の医薬。
【請求項２２】
さらに、前記組織または細胞試料中のＤＲ４、ＤＲ５、ＤｃＲ１またはＤｃＲ２レセプターの発現を検査する工程を含む、請求項１９に記載の医薬。
【請求項２３】
前記組織または細胞試料に癌組織または癌細胞が含まれる、請求項１９に記載の医薬。
【請求項２４】
前記癌細胞または癌組織に、大腸、結腸直腸、消化管または膵臓の癌細胞または組織が含まれる、請求項２３に記載の医薬。
【請求項２５】
図１(配列番号：１)のアミノ酸１１４−２８１を含有するＡｐｏ２Ｌ／ＴＲＡＩＬポリペプチドの有効量が前記哺乳動物に投与される、請求項１９に記載の医薬。
【請求項２６】
前記Ａｐｏ２Ｌ／ＴＲＡＩＬポリペプチドが図１(配列番号：１)のアミノ酸１１４−２８１からなる、請求項２５に記載の医薬。
【請求項２７】
また、化学療法剤(一ないし複数)または放射線療法が前記哺乳動物に投与される、請求項１９に記載の医薬。
【請求項２８】
また、サイトカイン、細胞障害性剤又は成長阻害剤が前記哺乳動物に投与される、請求項１９に記載の医薬。
【請求項２９】
前記Ａｐｏ２Ｌ／ＴＲＡＩＬポリペプチドがポリエチレングリコール分子に結合している、請求項１９に記載の医薬。
【請求項３０】
哺乳動物の大腸または結腸直腸の癌細胞のＡｐｏ２Ｌ／ＴＲＡＩＬへの感受性を予測する方法であって、
哺乳動物の大腸または結腸直腸の癌細胞を採取し、
該癌細胞を検査して、フコシルトランスフェラーゼ３、フコシルトランスフェラーゼ６、シアリルルイスＡおよび／またはＸ抗原(一ないし複数)からなる群から選択される一ないし複数のバイオマーカーの発現を検出し、該癌細胞がＡｐｏ２Ｌ／ＴＲＡＩＬのアポトーシス誘導活性に感受性があることが該一ないし複数のバイオマーカーの発現により予測される工程を含む方法。
【請求項３１】
哺乳動物の大腸または結腸直腸の癌細胞がフコシルトランスフェラーゼ３、フコシルトランスフェラーゼ６、シアリルルイスＡおよび／またはＸ抗原(一ないし複数)からなる群から選択される一ないし複数のバイオマーカーを発現する場合に、哺乳動物の大腸または結腸直腸の癌細胞のアポトーシスを誘導するための薬剤であって、有効量のＡｐｏ２Ｌ／ＴＲＡＩＬポリペプチドを含有してなる薬剤。
【請求項３２】
前記Ａｐｏ２Ｌ／ＴＲＡＩＬポリペプチドが、図１(配列番号：１)のアミノ酸４１−２８１ないしはアポトーシス活性を有するその断片を含有してなる、請求項３１に記載の薬剤。
【請求項３３】
前記Ａｐｏ２Ｌ／ＴＲＡＩＬポリペプチドがポリエチレングリコール分子に結合している、請求項３２に記載の薬剤。
【請求項３４】
前記Ａｐｏ２Ｌ／ＴＲＡＩＬポリペプチドが図１(配列番号：１)のアミノ酸１１４−２８１を含有してなるものである、請求項３２に記載の薬剤。
【請求項３５】
哺乳動物の大腸または結腸直腸の癌細胞がフコシルトランスフェラーゼ３、フコシルトランスフェラーゼ６、シアリルルイスＡおよび／またはＸ抗原(一ないし複数)からなる群から選択される一ないし複数のバイオマーカーを発現する場合に、哺乳動物の大腸癌または結腸直腸癌を治療するための医薬であって、有効量のＡｐｏ２Ｌ／ＴＲＡＩＬを含有してなる医薬。
【請求項３６】
前記Ａｐｏ２Ｌ／ＴＲＡＩＬポリペプチドが、図１(配列番号：１)のアミノ酸４１−２８１ないしはアポトーシス活性を有するその断片を含有してなる、請求項３５に記載の医薬。
【請求項３７】
前記Ａｐｏ２Ｌ／ＴＲＡＩＬポリペプチドがポリエチレングリコール分子に結合している、請求項３６に記載の医薬。
【請求項３８】
前記Ａｐｏ２Ｌ／ＴＲＡＩＬポリペプチドが図１(配列番号：１)のアミノ酸１１４−２８１を含有してなるものである、請求項３６に記載の医薬。
【請求項３９】
a. 容器と、
b. 該容器上のラベルと、
c. 該容器内に収容される組成物
を具備してなるキットであって、該組成物にはＦＵＴ３および／またはＦＵＴ６のポリペプチド配列に結合する一次抗体が含有され、該容器上のラベルは、該組成物を用いて少なくとも一種類の哺乳動物細胞中のＦＵＴ３および／またはＦＵＴ６のタンパク質の存在を評価することができることと、少なくとも一種類の哺乳動物細胞中のＦＵＴ３および／またはＦＵＴ６のタンパク質の存在を評価するためのＦＵＴ３および／またはＦＵＴ６の抗体の使用についての指示書を示すものである、キット。
【請求項４０】
さらに、組織試料を調整して組織試料の同一片に抗体およびプローブを適用するための一組の指示書と材料を具備する、請求項３９に記載のキット。